【手続補正書】
【提出日】令和2年12月2日(2020.12.2)
【手続補正１】
【補正対象書類名】特許請求の範囲
【補正対象項目名】全文
【補正方法】変更
【補正の内容】
【特許請求の範囲】
【請求項１】
モジュール式ヘッドマウントディスプレイであって、
前記ヘッドマウントディスプレイの本体に収容され、それに結合されたときに交換可能なディスプレイモジュールのセットの１つに視覚データを表示するように動作可能な１つ又は複数のコンピュータプロセッサと、
ディスプレイブームであって、
前記本体に調整可能に結合された第１の端部と、
第２の端部であって、
前記１つ又は複数のコンピュータプロセッサに結合された少なくとも第１のインターフェースを提示する第１のカップリング部材と、
前記交換可能なディスプレイモジュールのセットの１つを、結合されているときに前記ディスプレイブームの前記第２の端部から切り離すように動作可能な解放機構と、
を有する第２の端部と、
を有するディスプレイブームと、
前記交換可能なディスプレイモジュールのセットからの第１の交換可能なディスプレイモジュールであって、
第１のディスプレイと、
前記第１のカップリング部材を補完する第２のカップリング部材であって、前記第２のカップリング部材は、前記第１のディスプレイに結合された少なくとも第２のインターフェースを提示する、第２のカップリング部材と、
を有する第１の交換可能なディスプレイモジュールと、備え、
少なくとも前記第１および第２のインターフェースは、前記第１のカップリング部材が前記第２のカップリング部材に取り外し可能に固定されるとき、前記第１の交換可能なディスプレイモジュールを前記１つ又は複数のコンピュータプロセッサに通信可能に結合するように適合され、
前記第１のカップリング部材と前記第２のカップリング部材とは、互いに取り外し可能に固定されると、前記ディスプレイブームの前記第２の端部と前記第１の交換可能なディスプレイモジュールの端部との間にエンドツーエンド接続を提供する、
モジュール式ヘッドマウントディスプレイ。
【請求項２】
前記第１のカップリング部材は、前記第１のカップリング部材および／または前記第２のカップリング部材に設けられた１つ又は複数の磁石で前記第２のカップリング部材に取り外し可能に固定される、請求項１に記載のモジュール式ヘッドマウントディスプレイ。
【請求項３】
前記ディスプレイブームの前記第１の端部は、前記本体に解放可能に結合可能である、請求項１に記載のモジュール式ヘッドマウントディスプレイ。
【請求項４】
前記第１のカップリング部材は、ボールジョイントを介して前記ディスプレイブームの前記第２の端部に結合される、請求項１に記載のモジュール式ヘッドマウントディスプレイ。
【請求項５】
前記第１の交換可能なディスプレイモジュールは、複数の表示状態を提供するように構成されると共に、重複しない構成で第２のディスプレイ部分に結合された第１のディスプレイ部分であって、第１の表示状態を提供する不透明なマイクロディスプレイを備える前記第１のディスプレイ部分と、第２の表示状態を提供する導波路光学素子を備える前記第２のディスプレイ部分と、を含む、請求項１に記載のモジュール式ヘッドマウントディスプレイ。
【請求項６】
モジュール式ヘッドマウントディスプレイであって、
１つ又は複数のコンピュータプロセッサを備える取付部分と、
ディスプレイブームであって、
第１の端部と、
第２の端部と、を備え、
前記第１の端部は、第１のカップリング部材と、前記１つ又は複数のコンピュータプロセッサに通信可能に接続された第１のインターフェースとを備え、
前記第２の端部は、前記取付部分に移動可能に結合される、ディスプレイブームと、
ディスプレイモジュールであって、
ディスプレイ部分と、
前記第１のカップリング部材を補完する第２のカップリング部材と、
前記ディスプレイ部分に通信可能に接続された第２のインターフェースと、を備えるディスプレイモジュールと、
を備え、
前記第１のカップリング部材と前記第２のカップリング部材とが互いに解放可能に結合されると、前記ディスプレイブームの前記第１の端部と前記ディスプレイモジュールの端部との間にエンドツーエンド接続が形成され、前記第２のインターフェースが前記第１ののインターフェースに接続される、
モジュール式ヘッドマウントディスプレイ。
【請求項７】
前記ディスプレイモジュールは、それぞれが異なるディスプレイ特性を有する複数の給電表示状態を提供するように適合されている、請求項６に記載のモジュール式ヘッドマウントディスプレイ。
【請求項８】
前記ディスプレイモジュールは、第１のディスプレイ特性を提供するように構成された第１のディスプレイ部分と、第２のディスプレイ特性を提供するように構成された第２のディスプレイ部分とを備える、請求項７に記載のモジュール式ヘッドマウントディスプレイ。
【請求項９】
前記第１のカップリング部材と前記第２のカップリング部材とを切り離すことによって前記ディスプレイモジュールを前記ディスプレイブームから外すように動作可能な解放機構をさらに備える、請求項６に記載のモジュール式ヘッドマウントディスプレイ。
【請求項１０】
前記第１のディスプレイ部分と前記第２のディスプレイ部分とは重複しない視野を提供し、前記第１のディスプレイ部分と前記第２のディスプレイ部分とは選択的に使用可能である、請求項８に記載のモジュール式ヘッドマウントディスプレイ。
【請求項１１】
前記第１のディスプレイ部分は、不透明なディスプレイを備え、前記第２のディスプレイ部分は、少なくとも部分的に透明であるディスプレイを備える、請求項８に記載のモジュール式ヘッドマウントディスプレイ。
【請求項１２】
モジュール式ヘッドマウントディスプレイであって、
少なくとも部分的に内部に収容された１つ又は複数のプロセッサを有する取付部分と、
第１の端部および第２の端部を有するディスプレイブームであって、前記ディスプレイブームの前記第２の端部は、前記取付部分に移動可能に結合されている、ディスプレイブームと、
前記ディスプレイブームの前記第１の端部に解放可能に固定されるように適合された交換可能なディスプレイモジュールであって、重なり合わない方法で互いに結合された第１のディスプレイ部分および第２のディスプレイ部分を含み、前記第１のディスプレイ部分は、第１の給電ディスプレイ状態を提供するように構成され、前記第２のディスプレイ部分は、第２の給電ディスプレイ状態を提供するように構成され、前記第１の給電ディスプレイ状態は不透明なディスプレイ状態であり、前記第２の給電ディスプレイ状態は少なくとも部分的に透明なディスプレイ状態であり、前記交換可能なディスプレイモジュールは、前記第１の給電ディスプレイ状態または前記第２の給電ディスプレイ状態を選択的に提供するように構成される、交換可能なディスプレイモジュールと、
を備えるモジュール式ヘッドマウントディスプレイ。
【請求項１３】
前記交換可能なディスプレイモジュールは、前記ディスプレイブームの前記第１の端部に調整可能に固定される、請求項１２に記載のモジュール式ヘッドマウントディスプレイ。
【請求項１４】
前記第２のディスプレイ部分は、少なくともディスプレイ部分を変更するように動作可能な導波路光学素子を備え、前記第２のディスプレイ部分は、前記ヘッドマウントディスプレイが装着構成にあるときに前記第１のディスプレイ部分の上方に配置される、請求項１２に記載のモジュール式ヘッドマウントディスプレイ。
【請求項１５】
前記第１の給電ディスプレイ状態と前記第２の給電ディスプレイ状態とは、前記交換可能なディスプレイモジュールを回転させることによって交換可能にアクティブ化される、請求項１２に記載のモジュール式ヘッドマウントディスプレイ。
【請求項１６】
前記１つ又は複数のコンピュータプロセッサに通信可能に結合されたカメラをさらに備える、請求項１２に記載のモジュール式ヘッドマウントディスプレイ。
【請求項１７】
前記ディスプレイモジュールは、前記ディスプレイブームの前記第１の端部に解放可能に結合されたときに枢動可能である、請求項６に記載のモジュール式ヘッドマウントディスプレイ。
【請求項１８】
前記第１および第２のカップリング部材は、雄雌接続アセンブリを備え、前記解放機構は、前記第１のカップリング部材が配置される前記ディスプレイブームの表面に隣接して前記ディスプレイブームの反対側に配置された一対の押し下げ可能なボタンを含む、請求項１に記載のモジュール式ヘッドマウントディスプレイ。
【請求項１９】
前記第１の交換可能なディスプレイモジュールが、前記１つ又は複数のコンピュータプロセッサに結合された前記第１のインターフェースから取り外されたとき、前記ヘッドマウントディスプレイの１つ又は複数の電子部品はアクティブ状態に維持される、請求項１に記載のモジュール式ヘッドマウントディスプレイ。
【請求項２０】
前記１つ又は複数の電子部品は、
前記１つ又は複数のコンピュータプロセッサと、
無線通信コンポーネントと、
位置追跡コンポーネントと、
マイクと、
スピーカーと、
の少なくとも１つを含む、請求項１９に記載のモジュール式ヘッドマウントディスプレイ。
【手続補正２】
【補正対象書類名】明細書
【補正対象項目名】００６６
【補正方法】変更
【補正の内容】
【００６６】
本技術は、あらゆる点で限定的ではなく例示的であることを意図した特定の実施形態に関して説明されてきた。本技術が属する技術分野の当業者には、その範囲から逸脱することなく代替の実施形態が明らかになるであろう。要素の様々な組み合わせ、ならびに図示されていない要素の使用も可能であり、企図されている。
本願発明の実施形態は、例えば、以下の如くである。
［実施形態１］
交換可能なコンポーネントを有するヘッドマウントディスプレイであって、ディスプレイブームは、第１の対応ディスプレイ特性を有する第１のディスプレイモジュールと、第１の端部および第２の端部を備えるディスプレイブームであって、前記第２の端部に配置されたベースに移動可能に結合されたディスプレイブームと、前記第１のディスプレイモジュールに通信可能に結合された１つまたは複数のコンピュータプロセッサと、前記１つまたは複数のコンピュータプロセッサに接続された電源と、第１の嵌合カップリングおよび第２の嵌合カップリングを備える取り外し可能なカップリングであって、前記第１の嵌合カップリングは前記ディスプレイブームの前記第１の端部に配置され、前記第２の嵌合カップリングは前記第１のディスプレイモジュールに配置され、前記第１および第２の篏合カップリングは互いに取り外し可能に固定可能である、ヘッドマウントディスプレイ。
［実施形態２］
前記第１の嵌合カップリングは、第２のディスプレイモジュールの別個の嵌合カップリングに取り外し可能に固定されるように構成され、前記第２のディスプレイモジュールは、前記第１の対応ディスプレイ特性とは異なる第２の対応ディスプレイ特性を有する、実施形態１に記載のヘッドマウントディスプレイ。
［実施形態３］
前記取り外し可能なカップリングは、磁気的カップリングと、第１の固定位置と第２の取り外し位置とで調整可能な機械的カップリングとのうちの少なくとも１つを含む、実施形態１に記載のヘッドマウントディスプレイ。
［実施形態４］
前記ディスプレイブームは、前記ベースに対する前記第１のディスプレイモジュールの関節運動を提供するための少なくとも１つのボールジョイントをさらに備える、実施形態１に記載のヘッドマウントディスプレイ。
［実施形態５］
前記第１のディスプレイモジュールは、第１のディスプレイ部分および第２のディスプレイ部分を提供するデュアルディスプレイを備える、実施形態１に記載のヘッドマウントディスプレイ。
［実施形態６］
前記第１のディスプレイ部分はマイクロディスプレイを備え、前記第２のディスプレイ部分は導波路光学素子を備える、実施形態５に記載のヘッドマウントディスプレイ。
［実施形態７］
前記ディスプレイブームは、第１の位置と第２の位置との間で移動可能であり、前記第１の位置と前記第２の位置との少なくとも一方は、ユーザが設定可能であり、前記ディスプレイブームが前記第１の位置から前記第２の位置に移動すると、前記第１および第２のディスプレイ部分の少なくとも一方が非作動になる、実施形態６に記載のヘッドマウントディスプレイ。
［実施形態８］
前記導波路光学素子は、前記ヘッドマウントディスプレイが着用者の頭に配置されるとき、前記第１のディスプレイモジュールの前記マイクロディスプレイの上に配置される、実施形態６に記載のヘッドマウントディスプレイ。
［実施形態９］
前記導波路光学素子および前記マイクロディスプレイのうちの少なくとも一方は、前記第１のディスプレイモジュールで独立して交換可能である、実施形態６に記載のヘッドマウントディスプレイ。
［実施形態１０］
交換可能なコンポーネントを有するヘッドマウントディスプレイであって、第１の対応ディスプレイ特性を有する第１のディスプレイモジュールであって、複数の表示状態を提供するように構成された第１のディスプレイモジュールと、第１の端部および第２の端部を備えるディスプレイブームであって、前記第２の端部に配置されたベースに移動可能に結合されたディスプレイブームと、前記第１のディスプレイモジュールに通信可能に結合された１つまたは複数のコンピュータプロセッサと、前記１つまたは複数のコンピュータプロセッサに接続された電源と、第１の篏合カップリングおよび第２の篏合カップリングを備える取り外し可能なカップリングであって、前記第１の篏合カップリングは前記ディスプレイブームの前記第１の端部に配置され、前記第２の篏合カップリングは前記第１のディスプレイモジュールに配置され、前記第１および第２の篏合カップリングは互いに取り外し可能に固定可能である、ヘッドマウントディスプレイ。
［実施形態１１］
前記第１の嵌合カップリングは、第２のディスプレイモジュールの別個の嵌合カップリングに取り外し可能に固定されるように構成され、前記第２のディスプレイモジュールは、前記第１の対応ディスプレイ特性とは異なる第２の対応ディスプレイ特性を有する、実施形態１０に記載のヘッドマウントディスプレイ。
［実施形態１２］
前記第１のディスプレイモジュールは、第１のディスプレイ部分と第２のディスプレイ部分とを備え、前記第１のディスプレイ部分はマイクロディスプレイを備え、前記第２のディスプレイ部分は導波路光学素子を備える、実施形態１０に記載のヘッドマウントディスプレイ。
［実施形態１３］
前記第１のディスプレイ部分および前記第２のディスプレイ部分は、前記第１および第２のディスプレイ部分が同一平面上とならない角度で結合される、実施形態１２に記載のヘッドマウントディスプレイ。
［実施形態１４］
前記取り外し可能なカップリングは、磁気的カップリングと、第１の固定位置と第２の取り外し位置とで移動可能な機械的カップリングとのうちの少なくとも１つを含む、実施形態１０に記載のヘッドマウントディスプレイ。
［実施形態１５］
前記第１のディスプレイモジュールは、第１のディスプレイ状態と第２のディスプレイ状態とで調整可能であることにより前記複数の表示状態を提供し、前記第１のディスプレイ状態は非透明状態を含み、前記第２のディスプレイは、少なくとも部分的に透明な状態を含む、実施形態１０に記載のヘッドマウントディスプレイ。
［実施形態１６］
ヘッドマウントディスプレイを調整する方法であって、第１の端部および第２の端部を有するディスプレイブームであって、前記第２の端部に位置するベースに移動可能に結合されたディスプレイブームと、１つまたは複数のコンピュータプロセッサと、電源と、複数の表示状態を提供するように構成された第１のディスプレイモジュールと、第１の嵌合カップリングおよび第２の嵌合カップリングを備える取り外し可能なカップリングであって、前記第１の篏合カップリングが前記ディスプレイブームの前記第1の端部に配置され、前記第２の篏合カップリングが前記第１のディスプレイモジュールに配置される、取り外し可能なカップリングと、を備えるヘッドマウントディスプレイを提供することと、前記第１の嵌合カップリングを前記第２の嵌合カップリングに固定することによって前記第１のディスプレイモジュールを前記ディスプレイブームに取り外し可能に固定することと、を含む方法。
［実施形態１７］
前記複数の表示状態は、第１のディスプレイ状態を提供する第１のディスプレイ部分と、第２のディスプレイ状態を提供する第２のディスプレイ部分と、のうちの少なくとも１つで構成される前記第１のディスプレイモジュールと、前記第１のディスプレイ状態と前記第２のディスプレイ状態とを交換可能に提供するコモンディスプレイ部分と、を通じて提供され、前記第１のディスプレイ状態は非透明状態を含み、前記第２のディスプレイ状態は少なくとも部分的に透明な状態を含む、実施形態１６に記載の方法。
［実施形態１８］
前記第１のディスプレイ部分と前記第２のディスプレイ部分とを共通の軸まわりに回転させることにより、前記第１のディスプレイ状態と前記第２のディスプレイ状態とを切り替えること、または前記コモンディスプレイを前記第１のディスプレイ状態と前記第２のディスプレイ状態とで切り替えること、をさらに含む、実施形態１７に記載の方法。
［実施形態１９］
前記第２のディスプレイ状態は、拡張現実ディスプレイを含む、実施形態１７に記載の方法。
［実施形態２０］
前記第１および第２の嵌合カップリングを互いに切り離して前記第１のディスプレイモジュールを前記ディスプレイブームから切り離すことと、第２ディスプレイモジュールの別個の嵌合カップリングを前記第１の嵌合カップリングに結合して前記第２のディスプレイモジュールを前記ディスプレイブームに取り外し可能に固定することと、をさらに含み、前記第１および第２のディスプレイモジュールは、異なる対応ディスプレイ特性を有する、実施形態１６に記載の方法。